(57)【要約】【課題】複数の画面間で画像を移動させる際の作業効率の低下を防止する。【解決手段】画像表示システム１０においてホストコンピュータ１００の制御部１１０は、ＵＳＢメモリ１２０に記憶されるプログラムに従って画像移動処理を実行する。画像移動処理により、ホストコンピュータ１００のメインディスプレイ１４０と表示装置２００のサブディスプレイ２２０との間で画像たるポインタ３００が相互に移動する。また、サブディスプレイ２２０は予めＵＳＢメモリ１２０に記憶された認証情報１２２に基づいて認証されており、ＵＳＢメモリ１２０を装着した段階で明確化されている。また、係るポインタ３００の移動に際しては、メイン又はサブディスプレイ上の如何なる方向の操作に対しても、ポインタ３００が画面外にはみ出した場合には、一方から他方へポインタが移動し、且つその移動方向は保存される。【選択図】図４
2007156156.tif 000002
【特許請求の範囲】
【請求項１】
画像を表示するための主表示画面及び副表示画面を夫々有する主表示装置及び副表示装置を制御する画像表示制御装置であって、
前記画像表示制御装置に着脱可能に構成され、前記副表示画面に前記画像を表示させるために必要となる所定種類の設定情報を記憶する記憶手段と、
前記記憶手段が装着された状態において前記主又は副表示画面に表示される画像の少なくとも一部を前記主又は副表示画面の画面外へ移動すべき旨の入力がなされた場合に、前記設定情報に基づいて夫々前記副又は主表示画面における前記移動すべき少なくとも一部の表示位置を決定する表示位置決定手段と、
前記移動すべき少なくとも一部が前記決定された表示位置に表示されるように前記副又は主表示装置を制御する制御手段と
を具備することを特徴とする画像表示制御装置。
【請求項２】
前記設定情報は、前記副表示装置の認証情報を含み、
前記画像表示制御装置は、前記記憶装置が装着された状態において前記認証情報に基づいて前記副表示装置との間で所定の認証処理を実行する認証手段を更に具備し、
前記表示位置決定手段は、前記認証処理の結果認証された副表示装置に備わる前記副表示画面上で前記表示位置を決定する
ことを特徴とする請求項１に記載の画像表示制御装置。
【請求項３】
前記表示位置決定手段は、前記主表示画面と前記副表示画面との間で前記画像の移動方向が一致するように前記表示位置を決定する
ことを特徴とする請求項１又は２に記載の画像表示制御装置。
【請求項４】
前記表示位置決定手段は、前記画像を移動すべき旨の入力がなされた場合に、前記副又は主表示画面における表示位置を、前記画像の移動方向に応じて前記主又は副表示画面における表示位置に対し上下が反転した位置又は左右が反転した位置に決定する
ことを特徴とする請求項１から３のいずれか一項に記載の画像表示制御装置。
【請求項５】
前記副表示装置が複数存在する場合に、前記主表示画面及び前記複数の副表示装置に備わる複数の前記副表示画面の中から前記画像の移動対象となる二つの表示画面を選択する選択手段を更に具備し、
前記表示位置決定手段は、前記画像を移動すべき旨の入力がなされた場合に、前記移動すべき少なくとも一部の表示位置を、前記選択された表示画面相互間で決定する
ことを特徴とする請求項１から４のいずれか一項に記載の画像表示制御装置。
【請求項６】
前記選択手段は、前記移動対象となる二つの表示画面を指定する旨の入力に応じて前記二つの表示画面を選択する
ことを特徴とする請求項５に記載の画像表示制御装置。
【請求項７】
画像を表示するための主表示画面及び副表示画面を夫々有する主表示装置及び副表示装置を制御する画像表示制御装置であって、
前記画像表示制御装置に着脱可能に構成され、前記主表示画面と前記副表示画面との仮想的な位置関係を表す位置関係情報を含み、前記副表示画面に前記画像を表示させるために必要となる所定種類の設定情報を記憶する記憶手段と、
前記記憶手段が装着された状態において前記主又は副表示画面に表示される画像の少なくとも一部を前記主又は副表示画面の画面外へ移動すべき旨の入力がなされた場合に、前記位置関係情報に基づいて前記画像を移動すべき旨の入力によって移動が促された方向に夫々前記副又は主表示画面が存在するか否かを判別する判別手段と、
前記副又は主表示画面が存在すると判別された場合に、前記設定情報に基づいて前記副又は主表示画面における前記移動すべき少なくとも一部の表示位置を決定する表示位置決定手段と、
前記移動すべき少なくとも一部が前記決定された表示位置に表示されるように前記副又は主表示装置を制御する制御手段と
を具備することを特徴とする画像表示制御装置。
【請求項８】
ネットワークに収容され、画像を表示するための主表示画面を有する主表示装置を制御する制御端末及び被制御端末を含み、
前記被制御端末は、
前記画像を表示するための副表示画面を有する副表示装置を具備し、
前記制御端末は、
前記画像表示制御装置に着脱可能に構成され、前記副表示画面に前記画像を表示させるために必要となる所定種類の設定情報を記憶する記憶手段と、
前記記憶手段が装着された状態において前記主又は副表示画面に表示される画像の少なくとも一部を前記主又は副表示画面の画面外へ移動すべき旨の入力がなされた場合に、前記設定情報に基づいて夫々前記副又は主表示画面における前記移動すべき少なくとも一部の表示位置を決定する表示位置決定手段と、
前記決定された表示位置が前記主表示画面に存在する場合に、前記移動すべき少なくとも一部が前記決定された表示位置に表示されるように前記主表示装置を制御する制御端末側制御手段と、
前記決定された表示位置が前記副表示画面に存在する場合に、前記移動すべき少なくとも一部を前記決定された表示位置に表示するための制御情報を生成する生成手段と、
前記被制御端末に対し前記ネットワークを介して前記制御情報を送信する通信手段と
を更に具備し、
前記被制御端末は、
前記送信された制御情報に基づいて前記移動すべき少なくとも一部が前記決定された表示位置に表示されるように前記副表示装置を制御する被制御端末側制御手段を更に具備する
ことを特徴とする画像表示システム。
【請求項９】
画像を表示するための主表示画面及び副表示画面を夫々有する主表示装置及び副表示装置を制御する画像表示制御方法であって、
前記画像表示制御装置に着脱可能に構成され、前記副表示画面に前記画像を表示させるために必要となる所定種類の設定情報を記憶する記憶手段が装着された状態において前記主又は副表示画面に表示される画像の少なくとも一部を前記主又は副表示画面の画面外へ移動すべき旨の入力がなされた場合に、前記設定情報に基づいて夫々前記副又は主表示画面における前記移動すべき少なくとも一部の表示位置を決定する表示位置決定工程と、
前記移動すべき少なくとも一部が前記決定された表示位置に表示されるように前記副又は主表示装置を制御する制御工程と
を具備することを特徴とする画像表示制御方法。
【請求項１０】
コンピュータシステムを、請求項１から７のいずれか一項に記載の表示位置決定手段及び制御手段として機能させることを特徴とするコンピュータプログラム。
【発明の詳細な説明】
【技術分野】
【０００１】
本発明は、例えば複数のディスプレイ装置に画像を表示させることが可能な画像表示制御装置、画像表示システム、画像表示制御方法及びコンピュータプログラムの技術分野に関する。
【背景技術】
【０００２】
この種の装置として、位置定義ファイルを使用するものが提案されている（例えば、特許文献１参照）。特許文献１に開示されたマルチディスプレイシステム（以下、「従来の技術」と称する）によれば、画面上でカーソルが外方向に向かって移動指示された場合に、複数のディスプレイのうちいずれに移動するかが、位置定義ファイルに予め定められているため、任意の位置に配置した複数のディスプレイの画面上を容易にカーソル移動可能となるとされている。
【０００３】
【特許文献１】特開平7−８４７２５号公報
【発明の開示】
【発明が解決しようとする課題】
【０００４】
従来の技術では、画面外に移動指示されたカーソルを表示することは可能であるが、ユーザが予め位置定義ファイルの内容を認識していない場合には、画面外に移動させたカーソルを目的のディスプレイに表示させることは難しい。即ち、従来の技術には、画面外に画像を表示させる際に作業効率が低下し易いという技術的な問題点がある。
【０００５】
本発明は、上述した問題点に鑑みてなされたものであり、画像を表示させる際の作業効率の低下を防止し得る画像表示制御装置、画像表示システム、画像表示制御方法及びコンピュータシステムを提供することを課題とする。
【課題を解決するための手段】
【０００６】
上述した課題を解決するため、請求項１の画像表示制御装置は、画像を表示するための主表示画面及び副表示画面を夫々有する主表示装置及び副表示装置を制御する画像表示制御装置であって、前記画像表示制御装置に着脱可能に構成され、前記副表示画面に前記画像を表示させるために必要となる所定種類の設定情報を記憶する記憶手段と、前記記憶手段が装着された状態において前記主又は副表示画面に表示される画像の少なくとも一部を前記主又は副表示画面の画面外へ移動すべき旨の入力がなされた場合に、前記設定情報に基づいて夫々前記副又は主表示画面における前記移動すべき少なくとも一部の表示位置を決定する表示位置決定手段と、前記移動すべき少なくとも一部が前記決定された表示位置に表示されるように前記副又は主表示装置を制御する制御手段とを具備することを特徴とする。
【０００７】
上述した課題を解決するため、請求項７の画像表示制御装置は、画像を表示するための主表示画面及び副表示画面を夫々有する主表示装置及び副表示装置を制御する画像表示制御装置であって、前記画像表示制御装置に着脱可能に構成され、前記主表示画面と前記副表示画面との仮想的な位置関係を表す位置関係情報を含み、前記副表示画面に前記画像を表示させるために必要となる所定種類の設定情報を記憶する記憶手段と、前記記憶手段が装着された状態において前記主又は副表示画面に表示される画像の少なくとも一部を前記主又は副表示画面の画面外へ移動すべき旨の入力がなされた場合に、前記位置関係情報に基づいて前記画像を移動すべき旨の入力によって移動が促された方向に夫々前記副又は主表示画面が存在するか否かを判別する判別手段と、前記副又は主表示画面が存在すると判別された場合に、前記設定情報に基づいて前記副又は主表示画面における前記移動すべき少なくとも一部の表示位置を決定する表示位置決定手段と、前記移動すべき少なくとも一部が前記決定された表示位置に表示されるように前記副又は主表示装置を制御する制御手段とを具備することを特徴とする。
【０００８】
上述した課題を解決するため、請求項８の画像表示システムは、ネットワークに収容され、画像を表示するための主表示画面を有する主表示装置を制御する制御端末及び被制御端末を含み、前記被制御端末は、前記画像を表示するための副表示画面を有する副表示装置を具備し、前記制御端末は、前記画像表示制御装置に着脱可能に構成され、前記副表示画面に前記画像を表示させるために必要となる所定種類の設定情報を記憶する記憶手段と、前記記憶手段が装着された状態において前記主又は副表示画面に表示される画像の少なくとも一部を前記主又は副表示画面の画面外へ移動すべき旨の入力がなされた場合に、前記設定情報に基づいて夫々前記副又は主表示画面における前記移動すべき少なくとも一部の表示位置を決定する表示位置決定手段と、前記決定された表示位置が前記主表示画面に存在する場合に、前記移動すべき少なくとも一部が前記決定された表示位置に表示されるように前記主表示装置を制御する制御端末側制御手段と、前記決定された表示位置が前記副表示画面に存在する場合に、前記移動すべき少なくとも一部を前記決定された表示位置に表示するための制御情報を生成する生成手段と、前記被制御端末に対し前記ネットワークを介して前記制御情報を送信する通信手段とを更に具備し、前記被制御端末は、前記送信された制御情報に基づいて前記移動すべき少なくとも一部が前記決定された表示位置に表示されるように前記副表示装置を制御する被制御端末側制御手段を更に具備する。
【０００９】
上述した課題を解決するため、請求項９の画像表示制御方法は、画像を表示するための主表示画面及び副表示画面を夫々有する主表示装置及び副表示装置を制御する画像表示制御方法であって、前記画像表示制御装置に着脱可能に構成され、前記副表示画面に前記画像を表示させるために必要となる所定種類の設定情報を記憶する記憶手段が装着された状態において前記主又は副表示画面に表示される画像の少なくとも一部を前記主又は副表示画面の画面外へ移動すべき旨の入力がなされた場合に、前記設定情報に基づいて夫々前記副又は主表示画面における前記移動すべき少なくとも一部の表示位置を決定する表示位置決定工程と、前記移動すべき少なくとも一部が前記決定された表示位置に表示されるように前記副又は主表示装置を制御する制御工程とを具備することを特徴とする。
【００１０】
上述した課題を解決するため、請求項１０のコンピュータプログラムは、コンピュータシステムを、請求項１から７のいずれか一項に記載の表示位置決定手段及び制御手段として機能させることを特徴とする。
【発明を実施するための最良の形態】
【００１１】
＜画像表示制御装置の第１実施形態＞
【００１２】
本発明の画像表示制御装置に係る第１実施形態は、画像を表示するための主表示画面及び副表示画面を夫々有する主表示装置及び副表示装置を制御する画像表示制御装置であって、前記画像表示制御装置に着脱可能に構成され、前記副表示画面に前記画像を表示させるために必要となる所定種類の設定情報を記憶する記憶手段と、前記記憶手段が装着された状態において前記主又は副表示画面に表示される画像の少なくとも一部を前記主又は副表示画面の画面外へ移動すべき旨の入力がなされた場合に、前記設定情報に基づいて夫々前記副又は主表示画面における前記移動すべき少なくとも一部の表示位置を決定する表示位置決定手段と、前記移動すべき少なくとも一部が前記決定された表示位置に表示されるように前記副又は主表示装置を制御する制御手段とを具備する。
【００１３】
本発明における「画像」とは、主及び副表示画面上に表示することが可能な視覚情報を包括する概念であり、例えば、マウス等各種ポインティングデバイスにおける各種ポインタ、ワードプロセッサ、表計算、プレゼンテーション、データベース若しくは画像処理等各種アプリケーションプログラムに関するウィンドウ又はアイコン等のオブジェクト等を指す。
【００１４】
本発明における「主表示装置」及び「副表示装置」とは、物理的には相互に個別の表示装置であるが、そのハードウェア的な構成は、相互に異なっていても同一であってもよい。例えば、これら表示装置は、プラズマディスプレイ装置、液晶ディスプレイ装置、ＣＲＴ（Cathode Ray Tube）ディスプレイ装置又は液晶プロジェクタ等の各種態様を有していてもよい。
【００１５】
本発明の画像表示制御装置に係る実施形態には、所定種類の設定情報を記憶した記憶手段が着脱可能に装着される。ここで、「設定情報」とは、少なくとも副表示画面に画像を表示させるために必要となる情報を含む情報を包括する概念である。係る概念が担保される限りにおいて、設定情報とは、例えば、副表示装置の識別情報、副表示画面に関する各種情報（例えば、表示領域や解像度等の情報）、副表示装置を制御するために必要となる制御情報或いは副表示装置の認証情報等を含んでいてもよい。
【００１６】
このような記憶手段が装着された状態で、前述した如きポインタ或いは各種ウィンドウといった画像の少なくとも一部を主又は副表示画面の画面外に移動すべき旨の入力がなされた場合、係る移動すべき少なくとも一部を表示させるべき副又は主表示画面上の表示位置が表示位置決定手段により決定される。
【００１７】
ここで、「入力」とは、例えば、ユーザが所定の入力手段を介して人為的に実行する各種操作に伴って生じる信号であり、このような各種操作とは、例えば、ユーザによるマウス操作やキーボード操作等を指す。従って、このような入力手段とは、例えば、マウス、キーボード、トラックボール、タッチパッド、スクロールボタン又はタッチパネル装置等の各種態様を有する。即ち、ここで述べられる「画像を移動するべき旨の入力」とは、例えば、ポインタを主又は副表示画面の上端（下端、左端又は右端でも同様）から更に上方（同様に下方、左方又は右方でもよい）に向かって動かすための操作等がなされた場合等を指す。
【００１８】
表示位置が決定されると、制御手段により、係る移動すべき少なくとも一部が副又は主表示画面上の係る決定された表示位置に表示されるように副又は主表示装置が制御される。
【００１９】
ここで、本発明の画像表示制御装置では、表示位置決定手段が、記憶手段に記憶される設定情報に基づいて係る表示位置を決定するため、主表示画面上で画面外に移動すべき旨の入力により移動が促された画像の少なくとも一部は、係る記憶手段に対応付けられた副表示装置に備わる副表示画面に表示されることになる。従って、ユーザは、如何なる操作がいずれの副表示装置に対応しているのか、或いは主表示画面の周囲に如何なる副表示画面が設定されているのかといった、個別具体的な設定内容を特別に意識又は記憶することなく、極めて直感的な作業を行うことができる。また、主又は副表示画面上で画像を移動させる方向は何ら限定されないため、ある特定方向の画像の移動に対してのみ画像の相互移動が許可される場合と較べて明らかに有利である。即ち、本発明の画像表示制御装置に係る実施形態によれば、画像を表示させる際の作業効率の低下を防止することが可能となるのである。
【００２０】
尚、本発明の画像表示制御装置に係る実施形態における上述した作用に鑑みれば、複数の副表示装置各々に対応した記憶手段を予め用意しておくことによって、その都度適切な副表示装置を選択することも簡便にして可能となる。
【００２１】
本発明の画像表示制御装置に係る第１実施形態の一の態様では、前記設定情報は、前記副表示装置の認証情報を含み、前記画像表示制御装置は、前記記憶装置が装着された状態において前記認証情報に基づいて前記副表示装置との間で所定の認証処理を実行する認証手段を更に具備し、前記表示位置決定手段は、前記認証処理の結果認証された副表示装置に備わる前記副表示画面上で前記表示位置を決定する。
【００２２】
この態様によれば、設定情報に認証情報が含まれており、認証手段によって認証処理が実行される。前述した表示位置は、係る認証処理の結果認証がなされた副表示装置に備わる副表示画面上で決定される。従って、例えば、ユーザが誤って副表示装置に適合しない記憶手段を装着したとしても、係る誤って装着された記憶手段における設定情報に基づいて表示位置の決定が行われることがない。即ち、画像の移動を含む画像の表示品質が好適に担保され且つ作業効率の低下が効果的に防止される。尚、係る認証処理には、例えば、秘密鍵及び公開鍵の鍵ペアを使用した公知の認証アルゴリズム等が使用されてもよい。
【００２３】
本発明の画像表示制御装置に係る第１実施形態の他の態様では、前記表示位置決定手段は、前記主表示画面と前記副表示画面との間で前記画像の移動方向が一致するように前記表示位置を決定する。
【００２４】
この態様によれば、主又は副表示画面から副又は主表示画面へ画像の少なくとも一部が移動する際、係る移動の方向が維持される。例えば、主表示画面上でポインタやウィンドウ等の移動対象画像を右方向に移動させ、これらを画面外に移動させる旨が指示された場合には、副表示画面上でも、係る移動対象画像が右方向に進みながら表示される。従って、ユーザによる直感的な操作が支援され、操作性が好適に担保される。
【００２５】
本発明の画像表示制御装置に係る第１実施形態の他の態様では、前記表示位置決定手段は、前記画像を移動すべき旨の入力がなされた場合に、前記副又は主表示画面における表示位置を、前記画像の移動方向に応じて前記主又は副表示画面における表示位置に対し上下が反転した位置又は左右が反転した位置に決定する。
【００２６】
この態様によれば、例えば、画像を移動させる方向が主表示画面の上方向である場合、言い換えれば、主表示画面の上側端部を通過して副表示画面に画像が移動する場合、副表示画面において、係る画像は下側端部から出現する。従って、主表示画面からはみ出した画像は、あたかも主表示画面と副表示画面とが相互に隣接しているかの如く副表示画面上に表示されることとなる。従って、画像を表示させる際の作業効率が向上する。
【００２７】
尚、このように、移動方向に応じて上下又は左右が反転した位置に画像を移動させる場合、好適には、反転させた方向とは異なる方向における座標位置は保存される。この場合、作業効率が一層向上し得る。
【００２８】
本発明の画像表示制御装置に係る第１実施形態の他の態様では、前記副表示装置が複数存在する場合に、前記主表示画面及び前記複数の副表示装置に備わる複数の前記副表示画面の中から前記画像の移動対象となる二つの表示画面を選択する選択手段を更に具備し、前記表示位置決定手段は、前記画像を移動すべき旨の入力がなされた場合に、前記移動すべき少なくとも一部の表示位置を、前記選択された表示画面相互間で決定する。
【００２９】
この態様によれば、選択手段によって、主表示画面及び複数の副表示画面の中から、画像の相互移動の対象となる二つの表示画面が選択される。係る選択の態様は、何ら限定されることなく自由に決定されてよく、例えば、予め何らかの判断基準に基づいて個々の表示装置に優先順位が付与されているならば、係る優先順位に基づいて表示装置が選択されてもよい。この場合も、記憶手段によって記憶される設定情報に基づいて表示位置が決定されることには変わりはなく、本発明の画像表示制御装置に係る実施形態における上述した効果は好適に担保される。
【００３０】
尚、このように複数の副表示画面が用意される場合、本発明の概念に鑑みれば、個々の副表示画面に対応した設定情報が用意されるが、これら複数の設定情報は、必ずしもこれらに一対一に対応した複数の記憶手段に記憶されておらずともよい。無論、一の副表示画面毎に一の記憶手段が用意されていてもよい。
【００３１】
尚、この態様では、前記選択手段は、前記移動対象となる二つの表示画面を指定する旨の入力に応じて前記二つの表示画面を選択してもよい。
【００３２】
この場合、例えば、マウス等の各種ポインティングデバイス又はキーボード等を介してなされるユーザの意思を反映した入力に応じて表示画面が選択される。従って、例えば、主表示画面上で議事録を作成し、一の副表示画面上で売上高等のデータが表示され、また他の副表示画面上でプレゼンテーション画面が表示されている場合等に、議事録の作成を一時的に中断して、副表示画面間で上述した画像の相互移動（例えば、ポインタの相互移動）を行うことも可能である。このような表示画面の選択の態様は、予め複数の選択可能な操作モードとして設定されていてもよい。この場合、ユーザの操作は極めて簡便となり得る。
【００３３】
＜画像表示制御装置の第２実施形態＞
【００３４】
本発明の画像表示制御装置に係る第２実施形態は、画像を表示するための主表示画面及び副表示画面を夫々有する主表示装置及び副表示装置を制御する画像表示制御装置であって、前記画像表示制御装置に着脱可能に構成され、前記主表示画面と前記副表示画面との仮想的な位置関係を表す位置関係情報を含み、前記副表示画面に前記画像を表示させるために必要となる所定種類の設定情報を記憶する記憶手段と、前記記憶手段が装着された状態において前記主又は副表示画面に表示される画像の少なくとも一部を前記主又は副表示画面の画面外へ移動すべき旨の入力がなされた場合に、前記位置関係情報に基づいて前記画像を移動すべき旨の入力によって移動が促された方向に夫々前記副又は主表示画面が存在するか否かを判別する判別手段と、前記副又は主表示画面が存在すると判別された場合に、前記設定情報に基づいて前記副又は主表示画面における前記移動すべき少なくとも一部の表示位置を決定する表示位置決定手段と、前記移動すべき少なくとも一部が前記決定された表示位置に表示されるように前記副又は主表示装置を制御する制御手段とを具備する。
【００３５】
本発明の画像表示制御装置に係る第２実施形態では、設定情報に、主表示画面と副表示画面との仮想的な位置関係を表す位置関係情報が含まれる。ここで、「仮想的な位置関係」とは、物理的な（即ち、絶対的な）位置関係とは異なり、あくまで、主表示画面の周囲の一部に仮想的に副表示画面が存在すると考えた場合の、主表示画面と副表示画面との位置関係を指す。
【００３６】
判別手段は、画像を移動すべき旨を表す入力が行われた場合、係る入力によって移動が促された方向に副又は主表示画面が存在するか（即ち、存在するとみなせるように設定されているか）否かを判別する。表示位置決定手段は、係る移動が促された方向に副又は主表示画面が存在する場合に、副表示画面上で表示位置を決定する。従って、本実施形態では、上述した第１実施形態と異なり、主又は副表示画面の少なくとも一部の範囲では、画像が副又は主表示画面に移動しない場合がある。然るに、設定情報に位置関係情報が含まれる、即ち、画像表示制御装置上のソフトウェア的な処理によって適宜位置関係が規定されるものではないことに鑑みれば、記憶手段を装着した時点で既に主及び副表示画面間の仮想的な位置関係は決定されているのであり、ユーザが画像の移動先について逡巡する可能性は極めて少ないものとなっている。即ち、記憶手段（設定情報）によって一義的に画像の移動先が規定されることには何ら変わりなく、作業性の低下が効率的且つ効果的に防止される。
【００３７】
尚、例えば、記憶手段毎に「上」、「下」、「左」又は「右」等主表示画面との位置関係を表す情報を物理的に付与（例えば、記憶手段の筐体部分にペン等で記入或いはシールを貼着）しておくこと等によって、簡便且つ効果的に画像の移動方向がユーザに伝達される。
【００３８】
＜画像表示システムの実施形態＞
【００３９】
本発明の画像表示システムに係る実施形態は、ネットワークに収容され、画像を表示するための主表示画面を有する主表示装置を制御する制御端末及び被制御端末を含み、前記被制御端末は、前記画像を表示するための副表示画面を有する副表示装置を具備し、前記制御端末は、前記画像表示制御装置に着脱可能に構成され、前記副表示画面に前記画像を表示させるために必要となる所定種類の設定情報を記憶する記憶手段と、前記記憶手段が装着された状態において前記主又は副表示画面に表示される画像の少なくとも一部を前記主又は副表示画面の画面外へ移動すべき旨の入力がなされた場合に、前記設定情報に基づいて夫々前記副又は主表示画面における前記移動すべき少なくとも一部の表示位置を決定する表示位置決定手段と、前記決定された表示位置が前記主表示画面に存在する場合に、前記移動すべき少なくとも一部が前記決定された表示位置に表示されるように前記主表示装置を制御する制御端末側制御手段と、前記決定された表示位置が前記副表示画面に存在する場合に、前記移動すべき少なくとも一部を前記決定された表示位置に表示するための制御情報を生成する生成手段と、前記被制御端末に対し前記ネットワークを介して前記制御情報を送信する通信手段とを更に具備し、前記被制御端末は、前記送信された制御情報に基づいて前記移動すべき少なくとも一部が前記決定された表示位置に表示されるように前記副表示装置を制御する被制御端末側制御手段を更に具備する。
【００４０】
本発明の画像表示システムに係る実施形態は、ネットワークに収容され、制御端末と被端末とを含んで構成される。
【００４１】
ここで、「ネットワーク」とは、好適にはＷＡＮ（Wide Area Network）網若しくはＬＡＮ（Local Area Network）網等の比較的限定された通信網を指す。但し、インターネット等の広域通信網であってもよい。
【００４２】
本発明の画像表示システムに係る実施形態によれば、制御端末に記憶手段、表示位置決定手段、生成手段及び第１通信手段が備わり、被制御端末に副表示装置及び被制御端末側制御手段が備わる。従って、例えば、会議室、講義室又はホール等の空間において、複数画面を使用したプレゼンテーション、会議、講義、講演又は研究発表等をその作業効率の低下を招くことなく実行することが可能となる。
【００４３】
尚、本発明の画像表示システムにおいて、制御端末側制御手段、生成手段及び通信手段の役割とは即ち、上述した本発明の画像表示制御装置における制御手段の役割と少なくとも一部が共通となる。即ち、この場合、被制御端末に備わる被制御端末側制御手段を介して間接的に副表示画面の表示内容が制御される。
【００４４】
＜画像表示制御方法の実施形態＞
【００４５】
本発明の画像表示制御方法に係る実施形態は、画像を表示するための主表示画面及び副表示画面を夫々有する主表示装置及び副表示装置を制御する画像表示制御方法であって、前記画像表示制御装置に着脱可能に構成され、前記副表示画面に前記画像を表示させるために必要となる所定種類の設定情報を記憶する記憶手段が装着された状態において前記主又は副表示画面に表示される画像の少なくとも一部を前記主又は副表示画面の画面外へ移動すべき旨の入力がなされた場合に、前記設定情報に基づいて夫々前記副又は主表示画面における前記移動すべき少なくとも一部の表示位置を決定する表示位置決定工程と、前記移動すべき少なくとも一部が前記決定された表示位置に表示されるように前記副又は主表示装置を制御する制御工程とを具備する。
【００４６】
本発明の画像表示制御方法に係る実施形態によれば、上述した本発明の画像表示制御装置に係る第１実施形態と同等の各種工程における動作によって、本発明の画像表示制御装置に係る第１実施形態と同等の効果が実現される。
【００４７】
＜コンピュータプログラムの実施形態＞
【００４８】
本発明のコンピュータプログラムに係る実施形態は、コンピュータシステムを、上記いずれか一項に記載の表示位置決定手段及び制御手段として機能させる。
【００４９】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体或いはＵＳＢ（Universal Serial Bus）メモリ等コンピュータシステムに着脱可能な固体型記憶装置から、当該コンピュータプログラムをコンピュータシステムに読み込んで実行させれば、或いは、当該コンピュータプログラムを、例えば、通信手段等を介してコンピュータシステムにダウンロードさせた後に実行させれば、上述した本発明の画像表示制御装置に係る第１実施形態又は第２実施形態を比較的簡単に実現できる。
【００５０】
尚、上述した本発明の画像表示制御装置に係る各実施形態における各種態様に対応して、本発明のコンピュータプログラムに係る実施形態も各種態様を採ることが可能である。
【００５１】
以上説明したように、本発明の画像表示制御装置に係る第１実施形態によれば、画像を表示させる際の作業効率の低下を防止することが可能となる。
【００５２】
以上説明したように、本発明の画像表示制御装置に係る第２実施形態によれば、作業効率の低下を招くことなく画像を表示させることが可能となる。
【００５３】
以上説明したように、本発明の画像表示システムに係る実施形態によれば、制御端末及び被制御端末とを備えるので、作業効率の低下を招くことなく会議等を行うことが可能である。
【００５４】
以上説明したように、本発明の画像表示制御方法に係る実施形態によれば、表示位置決定工程と制御工程とを備えるので、画像を表示させる際の作業効率の低下が防止される。
【００５５】
以上説明したように、本発明のコンピュータプログラムに係る実施形態によれば、コンピュータシステムが本発明の画像表示制御装置に係る各種実施形態における表示位置決定手段及び制御手段として機能し得るので、画像を表示させる際の作業効率の低下が防止される。
【００５６】
本発明のこのような作用及び他の利得は次に説明する実施例から明らかにされる。
【実施例】
【００５７】
以下、適宜図面を参照して、本発明の好適な実施例について説明する。
＜第１実施例＞
＜実施例の構成＞
始めに、図1を参照して、本発明の第１実施例に係る画像表示システムの構成について説明する。ここに、図１は、画像表示システム１０のブロック図である。
【００５８】
図１において、画像表示システム１０は、ホストコンピュータ１００及び表示装置２００がネットワーク１１に収容されてなる、本発明に係る「画像表示システム」の一例である。ネットワーク１１は、例えば、会社等施設内に敷設されたＬＡＮ網である。
【００５９】
ホストコンピュータ１００は、ノート型のパーソナルコンピュータであり、本発明に係る「制御端末」及び「画像表示制御装置」の夫々一例として機能するように構成されている。ホストコンピュータ１００は、制御部１１０、ＵＳＢメモリ１２０、入力部１３０、メインディスプレイ１４０及び通信部１５０を備える。
【００６０】
制御部１１０は、例えばＣＰＵ（Central Processing Unit）、ＲＯＭ（Read Only Memory）及びＲＡＭ（Random Access Memory）等を備え、ホストコンピュータ１００の動作全体を制御する制御ユニットであり、本発明に係る「表示位置決定手段」及び「制御手段」の夫々一例として、或いは「制御端末側制御手段」の一例として機能するように構成されている。
【００６１】
ＵＳＢメモリ１２０は、本発明に係る「記憶手段」の一例であり、ホストコンピュータ１００に着脱可能に構成され、ホストコンピュータ１００に装着された状態において、ホストコンピュータ１００との間でＵＳＢ規格に基づいたデータ通信を実行することが可能に構成されている。ＵＳＢメモリ１２０には、後述する画像移動処理に関するアプリケーションプログラム及び表示装置２００に関する設定情報１２１が記憶されている。尚、設定情報１２１については後述する。
【００６２】
入力部１３０は、マウス及びキーボード等からなる一般的な入力デバイスであり、図１において不図示のユーザは、ホストコンピュータ１００に対し、入力部１３０を介して適宜入力を行うことが可能である。
【００６３】
メインディスプレイ１４０は、ホストコンピュータ１００に備わる、本発明に係る「主表示装置」の一例たる液晶ディスプレイ装置である。メインディスプレイ１４０の表示パネル部分は、即ち、本発明に係る「主表示画面」の一例である。尚、以下の説明においては、特に断りの無い限り、便宜上メインディスプレイ１４０を本発明に係る「主表示画面」の一例として扱うこととする。
【００６４】
通信部１５０は、表示装置２００との間でネットワーク１１を介してデータ通信を実行するための通信インターフェイスである。
【００６５】
表示装置２００は、会議室等ホストコンピュータ１００が設置される空間と同じ空間に設置された比較的大型のプラズマディスプレイ装置であり、本発明に係る「被制御端末」の一例である。表示装置２００は、制御部２１０、サブディスプレイ２２０及び通信部２３０を備える。
【００６６】
制御部２１０は、ホストコンピュータ１００から送信される制御情報に基づいてサブディスプレイ２２０に画像を表示することが可能に構成された、本発明に係る「被制御端末側制御手段」の一例である。
【００６７】
サブディスプレイ２２０は、表示装置の表示画面を構成するユニットであり、本発明に係る「副表示画面」の一例である。
【００６８】
通信部２３０は、ネットワーク１１を介してホストコンピュータ１００からデータを受信するための通信インターフェイスである。
【００６９】
次に、図２を参照して、ＵＳＢメモリ１２０に記憶される設定情報１２１の詳細について説明する。ここに、図２は、設定情報１２１の模式図である。尚、同図において図１と重複する箇所には同一の符合を付してその説明を適宜省略することとする。
【００７０】
図２において、設定情報１２１は、認証情報１２２及び画面情報１２３を含んで構成される。ここで、認証情報１２２は、サブディスプレイ２２０を識別するためのＩＤ情報であり、画面情報１２３は、認証情報に対応するディスプレイ（即ち、サブディスプレイ２２０）の表示領域の大きさ及び解像度等の情報である。
【００７１】
＜実施例の動作＞
ホストコンピュータ１００において、制御部１１０は、ＵＳＢメモリ１２０に記憶されるアプリケーションプログラムを実行し、ホストコンピュータ１００と表示装置２００との間で画像を移動させるための画像移動処理を実行することができる。以下に、本実施例の動作例として、画像移動処理の詳細について説明する。
【００７２】
始めに、図３を参照して、画像移動処理の流れについて説明する。ここに、図３は、画像移動処理のフローチャートである。
【００７３】
図３において、制御部１１０は、メインディスプレイ１４０又はサブディスプレイ２２０に、移動操作可能な画像（即ち、本発明に係る「画像」の一例）が表示されているか否かを判別する（ステップＡ１０）。尚、これらの処理の前に、制御部１１０は、前述した認証情報１２２を利用した認証処理を実行し、画像の移動対象となるディスプレイがサブディスプレイ２２０であることを特定している。この時点で、認証がなされない場合、画像の移動対象となるディスプレイは存在しないものと認識される。尚、係る認証のプロセスは公知であるため、図の煩雑化を防ぐ目的から図示を省略することとする。
【００７４】
制御部１１０は、いずれのディスプレイにも画像が表示されていない場合（ステップＡ１０：ＮＯ）、ステップＡ１０に係る処理を繰り返し実行して処理を待機状態に制御する一方、画像が表示されている場合（ステップＡ１０：ＹＥＳ）には、入力部１３０の操作量を取得する（ステップＡ１１）。更に制御部１１０は、取得した操作量に基づいて、現在メインディスプレイ１４０又はサブディスプレイ２２０に表示されている画像が、対応するディスプレイの画面外にはみ出すか否かを判別する（ステップＡ１２）。
【００７５】
画像が一方のディスプレイからはみ出さない場合には（ステップＡ１２：ＮＯ）、制御部１１０は、画像の移動を行わず、処理をステップＡ１０に戻して一連の処理を繰り返す。画像が画面外へはみ出すと判別された場合（ステップＡ１２：ＹＥＳ）、制御部１１０は、現在画像が表示されているディスプレイがメインディスプレイ１４０であるか否かを判別する（ステップＡ１３）。
【００７６】
画面外へ画像がはみ出す旨が入力として与えられた画面がメインディスプレイ１４０である場合（ステップＡ１３：ＹＥＳ）、制御部１１０は、係る画面外へはみ出した画像の、サブディスプレイ２２０上の表示位置を算出する（ステップＡ１４）。一方、係る画面がサブディスプレイ２２０である場合には（ステップＡ１３：ＮＯ）、制御部１１０は、画面外へはみ出した画像の、メインディスプレイ１４０上の表示位置を算出する（ステップＡ１５）。
【００７７】
表示位置が算出されると、制御部１１０は、該当する表示位置に画面外にはみ出した画像を表示する（ステップＡ１６）。画像が表示されると、制御部１１０は、処理をステップＡ１０に戻し、一連の処理を繰り返す。
【００７８】
ここで、図４を参照して、係る画像の移動の詳細について説明する。ここに、図４は、画像移動の模式図である。尚、同図において、図１と重複する箇所には同一の符合を付してその説明を適宜省略することとする。
【００７９】
図４において、左側にはメインディスプレイ１４０が、右側にはサブディスプレイ２２０が示される。また、上述の画像移動処理における移動対象の画像が、マウス等の操作に対応したポインタ３００であるとする。
【００８０】
ここで、画像移動処理においてポインタ３００をメインディスプレイ１４０からサブディスプレイ２２０へ移動させる方向として、右、左、上及び下方向に夫々対応する図示矢線Ａ１、Ａ２、Ａ３及びＡ４の各方向を考える。本実施例では、画像は、その移動方向がメインディスプレイ１４０及びサブディスプレイ２２０相互間で保持されるように移動する。即ち、図示Ａ１方向へポインタ３００を動かして、メインディスプレイ１４０の画面外にポインタ３００を移動させたい場合、サブディスプレイ２２０においてポインタ３００は、図示Ａ１方向に移動する。同様に、メインディスプレイ１４０上で図示Ａ２、Ａ３及びＡ４方向にポインタ３００を動かし夫々について画面外にポインタ３００をはみ出させる場合、サブディスプレイ２２０上では夫々図示Ａ２、Ａ３及びＡ４方向にポインタ３００が移動する。サブディスプレイ２２０からメインディスプレイ１４０へポインタ３００を移動させる場合も同様であり、サブディスプレイ２２０上の図示Ｂ１、Ｂ２、Ｂ３及びＢ４方向へのポインタ３００の動きに対応して、メインディスプレイ１４０上では、ポインタ３００が夫々図示Ｂ１、Ｂ２、Ｂ３及びＢ４方向へ移動する。
【００８１】
従って、上述した画像移動処理における表示位置の算出に際して、制御部１１０は、設定情報１２１に含まれる画面情報１２３を参照して、移動先のディスプレイにおける表示位置を表す座標が、ポインタ３００の移動方向に応じて左右又は上下で反転するように座標変換処理を実行している。このようにホストコンピュータ１００内部において座標変換がなされることにより、メインディスプレイ１４０及びサブディスプレイ２２０の周囲に、あたかもそれらを取り囲むようにサブディスプレイ２２０及びメインディスプレイ１４０が存在しているかのように、画像が移動することとなる。
【００８２】
尚、本実施例において、画像の表示制御は制御部１１０が実行している。従って、メインディスプレイ１４０の表示制御については、制御部１１０が直接メインディスプレイ１４０を制御することが可能である。また、サブディスプレイ２２０の表示制御に際しては、上述したような変換された座標情報を含む表示位置情報と、表示させるべき画像（例えば、ポインタ３００等）の表示用情報等が、制御情報としてネットワーク１１を介して表示装置２００に送信される。表示装置２００の制御部２１０は、通信部２３０を介して取得される係る制御情報に基づいて、サブディスプレイ２２０の表示内容を制御する。
【００８３】
このように、本実施例に係る画像表示システム１０によれば、ユーザは、メイン及びサブディスプレイ相互間の仮想的な位置関係に何ら留意することなく、一方から他方のディスプレイに画像を移動させたい場合には、例えば現時点における画像の表示位置に最も近い枠部分から画像をはみ出させればよく、極めて直感的且つ効率的な操作が可能となっている。即ち、画像を表示させる際の作業効率の低下が防止されるのである。
【００８４】
尚、このような本実施例に係る画像の移動が、ユーザによっては煩雑に思える場合もある。従って、このような場合に備え、設定情報１２１とは無関係に、ホストコンピュータ１００内部で、ソフトウェア的にメインディスプレイ１４０とサブディスプレイ２２０との位置関係を規定し、係る位置関係に準拠した方向のみに画像が移動するように設定してもよい。
【００８５】
＜第２実施例＞
第１実施例に係る画像表示システム１０は、本発明に係る副表示画面として、表示装置２００を一つだけ有しているが、無論表示装置２１０は複数存在していてもよい。このような場合に対応する本発明の第２実施例について、図５を参照して説明する。ここに、図５は、画像表示システム１２の概念図である。尚、同図において、図１と重複する箇所には同一の符合を付してその説明を適宜省略することとする。
【００８６】
図５において、画像表示システム１２は、ホストコンピュータ１００、表示装置２００及び表示装置４００を備える。
【００８７】
表示装置４００は、サブディスプレイ２２０とハードウェア的な構成の等しいサブディスプレイ４２０を備えた表示装置であり、ホストコンピュータ１００が保持する認証情報は、無論表示装置２００と相違する構成となっている。尚、ホストコンピュー１００には、画像の移動対象たる表示装置が増設されたことに伴い、二種類のＵＳＢメモリが装着或いは二種類の設定情報１２１を有するＵＳＢメモリが装着されているが、図示は省略する。
【００８８】
ここで、第１実施例と同様に画像の相互移動を実現し得るディスプレイの組合せは三種類存在し、ホストコンピュータ１００では、これら三種類の組合せに対応した画像移動モードが予め用意されている。即ち、メインディスプレイ１４０とサブディスプレイ２２０との組合せに対応するモードＭ１、メインディスプレイ１４０とサブディスプレイ４２０の組合せに対応するモードＭ２及びサブディスプレイ２２０とサブディスプレイ４２０との組合せに対応するモードＭ３である。
【００８９】
本実施例では、これら三種類の画像移動モードの中から、入力部１３０からの入力操作に応じて一の画像移動モードを選択することが可能である。従って、会議等係る画像表示システムを使用するイベントの進行状況に応じて、適宜適切なディスプレイを選択することが可能であり、作業効率の低下が効果的に防止される。
【００９０】
＜第３実施例＞
第１及び第２実施例では、一のディスプレイ上で画像を画面外へ移動させる操作が行われた場合、その移動方向に関係なく他のディスプレイ上に画像が移動したが、画像の移動方向は必ずしも全方向に限定されない。このような本発明の第３実施例について、図６を参照して説明する。ここに、図６は、本発明の第３実施例に係る画像表示システム１３の模式図である。尚、同図において、図５と重複する箇所には同一の符合を付してその説明を適宜省略することとする。
【００９１】
図６において、画像表示システム１３は、ホストコンピュータ１００及び表示装置２００を備える点において画像表示システム１０と相違しないが、ホストコンピュータ１００にＵＳＢメモリ５００が備わる点において、第１実施例と相違している。
【００９２】
ＵＳＢメモリ５００は、設定情報として、前述の認証情報１２２及び画面情報１２３に加え、位置情報（不図示）を有する。位置情報は、メインディスプレイ１４０とサブディスプレイ２２０との仮想的な位置関係を規定する情報である。係る仮想的な位置関係は、ＵＳＢメモリ毎に固定されており、本実施例では、例えばメインディスプレイ１４０の上方にサブディスプレイ２２０が設定されるものとする（図６参照）。
【００９３】
この場合、ＵＳＢメモリ５００内部にメイン及びサブディスプレイ間の仮想的な位置関係が規定されるため、制御部１１０は、係る仮想的な位置関係に準拠しない方向（例えば、図示左右方向）への画像の移動に際しては、マウス等入力手段の操作量が、例え画面外に画像を移動させるものであっても、画像の移動を行わない。この場合、典型的には、ポインタ等の画像は、メイン又はサブディスプレイにおける左右枠外に張り付いた状態で表示される。
【００９４】
本実施例では、このように限られた方向にのみ画像の移動が許可され、第１及び第２実施例と比較すれば、画像移動に関する自由度は抑制されている。しかしながら、ＵＳＢメモリ５００を装着した時点で、メインディスプレイ１４０とサブディスプレイ２２０との位置関係は固定されるため、ユーザがホストコンピュータ１００側の設定を間違えるといった、作業効率の低下は生じる可能性が著しく低いものとなっている。即ち、このように、ＵＳＢメモリ５００内部に設定情報の一部として両者の仮想的な位置関係を規定する情報を有することによって、作業効率の低下は効果的に防止される。更には、このように画像の移動方向が予めＵＳＢメモリ５００の選択及び装着を通じてユーザにも確実に認識され得ることに鑑みれば、第１及び第２実施例で示したような一見複雑な操作は必要なくなり、例えばこのような画像表示システムの操作に不慣れなユーザでも作業効率の低下を生じさせることがないため、好適である。
【００９５】
本発明は、上述した実施例に限られるものではなく、請求の範囲及び明細書全体から読み取れる発明の要旨或いは思想に反しない範囲で適宜変更可能であり、そのような変更を伴う画像表示制御装置、画像表示システム、画像表示制御方法及びコンピュータプログラムもまた本発明の技術的範囲に含まれるものである。
【図面の簡単な説明】
【００９６】
【図１】本発明の第１実施例に係る画像表示システムのブロック図である。
【図２】図１の画像表示システムにおいてＵＳＢメモリに記憶される設定情報の模式図である。
【図３】図１の画像表示システムにおいて、ホストコンピュータの制御部が実行する画像移動処理のフローチャートである。
【図４】画像移動処理における画像移動の模式図である。
【図５】本発明の第２実施例に係る画像表示ステムの概念図である。
【図６】本発明の第３実施例に係る画像表示システムの模式図である。
【符号の説明】
【００９７】
１０…画像表示システム、１２…画像表示システム、１３…画像表示システム、１００…ホストコンピュータ、１１０…制御部、１２０…ＵＳＢメモリ、１２１…設定情報、１２２…認証情報、１２３…画面情報、１３０…入力部、１４０…メインディスプレイ、１５０…通信部、２００…表示装置、２１０…制御部、２２０…サブディスプレイ、２３０…通信部、３００…ポインタ、４００…表示装置、４２０…サブディスプレイ、５００…ＵＳＢメモリ。
【図１】
2007156156.tif 000003
【図２】
2007156156.tif 000004
【図３】
2007156156.tif 000005
【図４】
2007156156.tif 000006
【図５】
2007156156.tif 000007
【図６】
2007156156.tif 000008